(57)【要約】【課題】監視場所への入場が認められている人を検知している期間は撮影画像の記録を記録媒体の節約可能な記録条件に変更し、その他の期間については通常の記録条件で記録することができるようにする。【解決手段】撮影手段１１による画像を記録手段２１で記録する監視用画像記録システムにおいて、識別信号を発信すると共に人による携帯が可能な携帯発信手段３１と、前記携帯発信手段３１からの識別信号を受信する受信手段２３と、前記記録手段２１の記録条件を制御する制御手段２５とを備え、前記制御手段２５は、前記受信手段２３と接続されていて、前記携帯発信手段３１からの識別信号を前記受信手段２３が受信した場合に前記識別信号の受信期間中、前記記録手段２１の記録条件を、前記識別情報の非受信期間中の通常記録から節約記録へ変更する。【選択図】        図１
2006287781.tif 000002
【特許請求の範囲】
【請求項１】
撮影手段による画像を記録手段で記録する監視用画像記録システムにおいて、
識別信号を発信すると共に人による携帯が可能な携帯発信手段と、
前記携帯発信手段からの識別信号を受信する受信手段と、
前記記録手段の記録条件を制御する制御手段と、
を備え、
前記制御手段は、前記受信手段に接続されていて、前記携帯発信手段からの識別信号を前記受信手段が受信した場合に前記識別信号の受信期間中、前記記録手段の記録条件を、前記識別情報の非受信期間中よりも長時間記録可能な記録に変更することを特徴とする監視用画像記録システム。
【請求項２】
撮影手段による画像を記録手段で記録する監視用画像記録システムにおいて、
識別信号を発信すると共に人による携帯が可能な携帯発信手段と、
前記携帯発信手段からの識別信号を受信する受信手段と、
前記記録手段の記録条件を制御する制御手段と、
を備え、
前記制御手段は、前記受信手段に接続されていて、前記携帯発信手段からの識別信号を前記受信手段が受信した場合に前記識別信号の受信期間中、前記記録手段の記録条件を、一時的に記録停止に変更することを特徴とする監視用画像記録システム。
【請求項３】
撮影手段による画像を記録手段で記録する監視用画像記録システムにおいて、
識別信号を発信すると共に人による携帯が可能な携帯発信手段と、
前記携帯発信手段からの識別信号を受信する受信手段と、
前記記録手段の記録条件を制御する制御手段と、
を備え、
前記制御手段は、前記受信手段に接続されていて、前記携帯発信手段からの識別信号を前記受信手段が受信した場合に前記識別信号の受信期間中、前記記録手段の記録条件を、前記識別情報の非受信期間中における上書き禁止記録から上書き可能記録に変更することを特徴とする監視用画像記録システム。
【発明の詳細な説明】
【技術分野】
【０００１】
本発明は、監視用画像記録システムに関する。
【背景技術】
【０００２】
従来、監視場所に撮影手段を設置して撮影画像を記録手段で記録する監視用画像記録システムにおいては、撮影画像を連続して記録し続ける方法や、人を検知したときに撮影画像を記録する方法や、監視場所への入場を許可されていない人を検知したときに撮影画像を記録する方法がある。
【０００３】
しかし、撮影画像を連続して記録する方法においては、記録手段の記録媒体を、記録する価値の低い無駄な画像によって短時間で使い切ってしまう問題がある。一方、人を検知したときに撮影画像を記録する方法においては、監視場所への入場を許可されている人についても記録が行われるため、記録する価値の低い無駄な画像によって記録手段の記録媒体を消費する問題がある。また、監視場所への入場を許可されていない人を検知したときに撮影画像を記録する方法においては、その後、他の期間についても撮影画像を確認したい場合があり、その場合に対応できない問題がある。
【特許文献１】特開２００２−３７４５２８号公報
【発明の開示】
【発明が解決しようとする課題】
【０００４】
本発明は、前記の点に鑑みなされたものであって、監視場所への入場が認められている人を検知している期間は撮影画像の記録を記録媒体の節約可能な記録条件に変更し、その他の期間については通常の記録条件で記録することができる監視用画像記録システムの提供を目的とする。
【課題を解決するための手段】
【０００５】
請求項１の発明は、撮影手段による画像を記録手段で記録する監視用画像記録システムにおいて、識別信号を発信すると共に人による携帯が可能な携帯発信手段と、前記携帯発信手段からの識別信号を受信する受信手段と、前記記録手段の記録条件を制御する制御手段と、を備え、前記制御手段は、前記受信手段に接続されていて、前記携帯発信手段からの識別信号を前記受信手段が受信した場合に前記識別信号の受信期間中、前記記録手段の記録条件を、前記識別情報の非受信期間中よりも長時間記録可能な記録に変更することを特徴とする。
【０００６】
請求項２の発明は、撮影手段による画像を記録手段で記録する監視用画像記録システムにおいて、識別信号を発信すると共に人による携帯が可能な携帯発信手段と、前記携帯発信手段からの識別信号を受信する受信手段と、前記記録手段の記録条件を制御する制御手段と、を備え、前記制御手段は、前記受信手段に接続されていて、前記携帯発信手段からの識別信号を前記受信手段が受信した場合に前記識別信号の受信期間中、前記記録手段の記録条件を、一時的に記録停止に変更することを特徴とする。
【０００７】
請求項３の発明は、撮影手段による画像を記録手段で記録する監視用画像記録システムにおいて、識別信号を発信すると共に人による携帯が可能な携帯発信手段と、前記携帯発信手段からの識別信号を受信する受信手段と、前記記録手段の記録条件を制御する制御手段と、を備え、前記制御手段は、前記受信手段に接続されていて、前記携帯発信手段からの識別信号を前記受信手段が受信した場合に前記識別信号の受信期間中、前記記録手段の記録条件を、前記識別情報の非受信期間中における上書き禁止記録から上書き可能記録に変更することを特徴とする。
【発明の効果】
【０００８】
本発明によれば、携帯発信手段からの識別信号を前記受信手段が受信した場合に前記識別信号の受信期間中、前記記録手段の記録条件を、前記識別情報の非受信期間中よりも長時間記録可能な記録に変更し、あるいは一時的に記録停止に変更し、または上書き禁止記録から上書き可能記録に変更するため、監視場所への入場が認められている人に予め携帯発信手段を携帯させておくことにより、監視場所への入場が認められている人が監視場所に存在する期間中、記録媒体を節約した記録を行うことができる。すなわち、監視場所への入場が認められている人が監視場所に存在する場合は、監視場所への入場が認められている人による監視作用が期待でき、監視用画像記録システムによる厳格な画像記録が不要になることから、本発明では、記録画質を通常記録よりも劣らせることにより、あるいは所定間隔で録画（インターバル録画）すること等により長時間記録が可能とされた記録条件で記録したり、一時的に記録停止したり、上書き可能で記録したりすることにより、記録媒体の節約を実現した。また、監視場所への入場が認められている人が監視場所に存在する期間以外は、通常の記録を行うことにより厳格な監視を行うようにした。これらにより、本発明では、記録画像を調べる際に重要ではない画像が記録されていることにより手間が余分にかかったり、煩わしくなったりするのを防止する効果も得られるようになった。
【発明を実施するための最良の形態】
【０００９】
以下この発明の実施形態を説明する。図１は本発明の一実施形態に係る監視用画像記録システムを簡略に示すブロック図である。
【００１０】
図１に示した実施形態の監視用画像記録システムは、撮影手段１１と、記録手段２１と、受信手段２３と、制御手段２５と、携帯発信手段３１とで構成され、記録手段２１と受信手段２３と制御手段２５で監視用画像記録装置２０を構成している。
【００１１】
撮影手段１１は、ビデオカメラ等で構成され、監視場所を撮影可能な場所に設置される。記録手段２１は、前記撮影手段１１による撮影画像を記録媒体に記録可能なものからなり、記録媒体としてハードディスクあるいはテープ等を有し、前記撮影手段１１と接続されている。受信手段２３は、携帯発信手段３１から発信される識別信号を受信した場合に、制御手段２５へ識別信号受信信号を出力するようにされている。制御手段２５は、前記受信手段２３及び前記記録手段２１と接続され、前記受信手段２３から前記識別信号受信信号を受信した場合に、前記識別信号受信信号の受信期間中、前記記録手段２１の記録条件を変更し、前記識別信号受信信号を受信しなくなったときに前記記録手段２１を再び元の記録条件に戻す。
【００１２】
前記記録手段２１の記録条件は、通常時、すなわち、前記受信手段２３が携帯発信手段３１からの識別信号を受信していない非受信期間中については、通常の画像品質で連続的に記録する通常記録とされ、一方、前記受信手段２３が携帯発信手段３１からの識別信号を受信している期間、すなわち前記受信手段２３から出力される前記識別信号受信信号を前記制御手段２５で受信している期間中については節約記録に変更される。
【００１３】
前記節約記録の態様としては、前記識別情報の非受信期間中の通常時よりも画質を落として記録したり一定間隔で記録したりすることによって長時間記録可能にした記録状態、あるいは一時的な記録停止状態、または上書き可能記録状態が挙げられる。なお、前記節約記録を上書き可能記録とする場合には、前記受信手段２３が携帯発信手段３１からの識別信号を受信していない非受信期間における記録手段２１の記録条件、すなわち通常時の記録条件を、上書き禁止記録（プロテクトされた記録）にしておく。上書き禁止記録は、撮影画像と共にプロテクト信号を記録することにより行うようにしたり、あるいは前記記録手段２１の記録媒体を２個設けて一方については、記録媒体の最後まで記録した場合に初めに戻って繰り返し記録を行う節約時の上書き可能記録用とし、他方については繰り返し記録を行わない通常時の上書き禁止記録用としたりしてもよい。
【００１４】
携帯発信手段３１は、識別信号を発信可能であって、かつ人によって携帯可能なものからなり、無線ＩＤタグ等が好適である。携帯可能性は、ポケットに入れて持ち歩けるものであったり、首からぶら下げるものであったり等、適宜とされる。また、本実施形態では、予め決められた識別信号が前記受信手段２３に登録されており、前記携帯発信手段３１から発信された識別信号を前記受信手段２３が受信した際、前記受信手段２３に予め登録されている識別信号と一致する場合にのみ前記識別信号受信信号が前記制御手段２５に出力され、一致しない場合、前記識別信号受信信号が前記制御手段２５に出力されないように構成されている。
【００１５】
前記携帯発信手段３１による識別信号の到達範囲及び前記受信手段２３による識別信号の受信範囲は、適宜とされるが、特には、前記携帯発信手段３１の携帯者が前記撮影手段１１の撮影範囲に位置する場合に、携帯発信手段３１からの識別信号が受信手段２３で受信可能となり、前記撮影手段１１の撮影範囲から外れた場合に受信不可能となるようにするのが好ましい。このようにすれば、監視場所である撮影範囲内に前記携帯発信手段３１の携帯者が存在することにより、すなわち予め監視場所への入場が認められている人が存在することにより、監視場所に対する監視作用が期待できる状況において、記録手段の記録状態を節約記録にすることができる。また、監視場所付近における前記受信手段２３の設置は、一箇所に限られず、複数箇所に設けてもよい。
【００１６】
前記構成からなる監視用画像記録システムにおいては、通常時は、前記撮影手段１１による撮影画像が前記記録手段２１によって通常の記録条件で連続的に記録される。そして、前記携帯発信手段３１から発信される識別信号を前記受信手段２３で受信すると、前記記録手段がそれまでの通常記録から前記節約記録に変更され、前記携帯発信手段３１からの識別信号を前記受信手段２３が受信している期間中、前記節約記録で記録が行われる。その後、前記携帯発信手段３１からの識別信号を前記受信手段２３が受信しなくなると、前記記録手段２１は再び通常の記録条件に戻って撮影画像が連続的に記録される。
【図面の簡単な説明】
【００１７】
【図１】本発明の一実施形態に係る監視用画像記録システムを簡略に示すブロック図である。
【符号の説明】
【００１８】
１１  撮影手段
２０  監視用画像記録装置
２１  記録手段
２３  受信手段
２５  制御手段
３１  携帯発信手段
【図１】
2006287781.tif 000003